(57)【要約】【課題】  特別な技術を必要とせず、簡単確実に、且つ、安価な方法で、歯及び口腔内を傷つけることなく安全に歯に歯用装飾品を取付けることができるようにする。【解決手段】  接着剤の成分となる粉体状基剤４を収納すると共に、歯用装飾品１を収納する第１の穴５が形成され、且つ、接着剤の成分となる液状基剤を貯留自在の第２の穴６が形成されたトレー３と、歯用装飾品１を粘着して保持する可撓性の透明粘着テープ２とを備え、前記第１の穴５の底部に粉体状基剤４が収納されると共に、該第１の穴５の上部に前記粘着テープ２に表面を粘着された歯用装飾品１が収納され、且つ、該粘着テープ２は前記トレー３に粘着している歯用装飾品の収納及び取付用品を提供する。【選択図】  図１
2006034662.tif 000002
【特許請求の範囲】
【請求項１】
接着剤の成分となる粉体状基剤を収納すると共に、歯用装飾品を収納する第１の穴が形成され、且つ、接着剤の成分となる液状基剤を貯留自在の第２の穴が形成されたトレーと、歯用装飾品を粘着して保持する可撓性の透明粘着テープとを備え、前記第１の穴の底部に粉体状基剤が収納されると共に、該第１の穴の上部に前記粘着テープに表面を粘着された歯用装飾品が収納され、且つ、該粘着テープは前記トレーに粘着していることを特徴とする歯用装飾品の収納及び取付用品。
【請求項２】
上記接着剤はグラスアイオノマーセメントであることを特徴とする請求項１記載の歯用装飾品の収納及び取付用品。
【請求項３】
上記歯用装飾品はダイヤモンド、キュービックジルコニア、貴金属、その他の宝石、セラミック、プラスチックの内のいずれかを含んでいることを特徴とする請求項１又は２記載の歯用装飾品の収納及び取付用品。
【請求項４】
上記歯用装飾品の裏面には反射手段が設けられていることを特徴とする請求項１，２又は３記載の歯用装飾品の収納及び取付用品。
【請求項５】
接着剤の成分となる粉体状基剤を収納すると共に、歯用装飾品を収納する第１の穴が形成され、且つ、接着剤の成分となる液状基剤を貯留自在の第２の穴が形成されたトレーと、歯用装飾品を粘着して保持する可撓性の透明粘着テープとを備え、前記第１の穴の底部に粉体状基剤が収納されると共に、該第１の穴の上部に前記粘着テープに表面を粘着された歯用装飾品が収納され、且つ、該粘着テープは前記トレーに粘着している歯用装飾品の収納及び取付用品であって、該歯用装飾品の収納及び取付用品のトレーから、前記歯用装飾品と共に前記粘着テープを剥離し、前記第２の穴に接着剤の成分となる液状基剤を滴下して貯留させ、接着剤混和と塗布機能を備えた接着剤混和・塗布手段に該第２の穴内の液状基剤を染み込ませた後、前記混和・塗布手段の一部を前記第１の穴に入れて前記液状基剤と前記粉体状基剤を混和し、混和した前記液状基剤と前記粉体状基剤から成る接着剤を該混和・塗布手段を用いて前記粘着テープに粘着している歯用装飾品の裏面に塗布し、該粘着テープと共に該歯用装飾品を位置決めして歯に当接し、該接着剤によって該歯用装飾品を歯に接着させて取付けるようにしたことを特徴とする歯用装飾品の取付け方法。
【請求項６】
上記接着剤はグラスアイオノマーセメントであることを特徴とする請求項５記載の歯用装飾品の取付け方法。
【請求項７】
上記歯用装飾品はダイヤモンド、キュービックジルコニア、貴金属、その他の宝石、セラミック、プラスチックの内のいずれかを含んでいることを特徴とする請求項５又は６記載の歯用装飾品の取付け方法。
【請求項８】
上記歯用装飾品の裏面には反射手段が設けられていることを特徴とする請求項５，６又は７記載の歯用装飾品の取付け方法。
【発明の詳細な説明】
【技術分野】
【０００１】
本発明は、ダイヤモンド、キュービックジルコニア、貴金属、その他の宝石類、或いは、セラミック、プラスチック等の歯用装飾品を収納し、且つ、歯に取付けるための収納及び取付用品、並びに、その歯用装飾品を歯に取付けるための取付け方法に関する。
【背景技術】
【０００２】
従来、歯の装飾として、例えば、江戸時代にはお歯黒が知られており、近年では、金や銀で歯に装飾を施す、所謂、金歯、銀歯が知られており、或いは、ダイヤモンド等の宝石類を歯を削って埋め込む等の方法も知られている（例えば、特許文献１参照。）。
【０００３】
然し、ダイヤモンド等を埋め込む方法は、歯を削る必要があり、一般的に歯の将来を考えると望ましい方法ではなかった。又、削らずに装着する方法として、例えば接着剤を用いて接着する方法があるが（例えば、特許文献２，３参照）、接着剤を用いる場合、安全衛生上の問題、接着方法の問題、接着力の問題などが発生する。
【０００４】
そこで、安全衛生上の問題、接着方法の問題、接着力の問題から、歯科治療用接着剤を用いる方法があるが、取り扱いが困難であるために、歯科医師等の専門家による接着操作を行う以外に方法はなく、又、高価になるという問題がある。
【０００５】
更に、口腔内という特殊な場所であることから接着完了までの固定も困難であり、更に又、使用する装飾具、備品も極めて小さいことから自分自身での接着操作はほぼ不可能であり一般的に普及しなかった。
【特許文献１】特開平１１−４８３８号公報
【特許文献２】特開２００３−２１２７４２号公報
【特許文献３】登録実用新案第３０２４５５９号公報
【発明の開示】
【発明が解決しようとする課題】
【０００６】
以上の現状に鑑み、本発明の目的は、特別な技術を必要とせず、簡単確実に、且つ、安価な方法で、歯及び口腔内を傷つけることなく安全に歯に歯用装飾品を取付けることができるようにした歯用装飾品の収納及び取付用品、並びに、歯用装飾品の取付け方法を提供する。
【課題を解決するための手段】
【０００７】
上記の課題を解決すべく、本発明は以下の構成を提供する。
請求項１に係る発明は、接着剤の成分となる粉体状基剤を収納すると共に、歯用装飾品を収納する第１の穴が形成され、且つ、接着剤の成分となる液状基剤を貯留自在の第２の穴が形成されたトレーと、歯用装飾品を粘着して保持する可撓性の透明粘着テープとを備え、前記第１の穴の底部に粉体状基剤が収納されると共に、該第１の穴の上部に前記粘着テープに表面を粘着された歯用装飾品が収納され、且つ、該粘着テープは前記トレーに粘着していることを特徴とする歯用装飾品の収納及び取付用品を提供するものである。
【０００８】
請求項２に係る発明は、上記接着剤はグラスアイオノマーセメントであることを特徴とする請求項１記載の歯用装飾品の収納及び取付用品を提供するものである。
【０００９】
請求項３に係る発明は、上記歯用装飾品はダイヤモンド、キュービックジルコニア、貴金属、その他の宝石、セラミック、プラスチックの内のいずれかを含んでいることを特徴とする請求項１又は２記載の歯用装飾品の収納及び取付用品を提供するものである。
【００１０】
請求項４に係る発明は、上記歯用装飾品の裏面には反射手段が設けられていることを特徴とする請求項１，２又は３記載の歯用装飾品の収納及び取付用品を提供するものである。
【００１１】
請求項５に係る発明は、接着剤の成分となる粉体状基剤を収納すると共に、歯用装飾品を収納する第１の穴が形成され、且つ、接着剤の成分となる液状基剤を貯留自在の第２の穴が形成されたトレーと、歯用装飾品を粘着して保持する可撓性の透明粘着テープとを備え、前記第１の穴の底部に粉体状基剤が収納されると共に、該第１の穴の上部に前記粘着テープに表面を粘着された歯用装飾品が収納され、且つ、該粘着テープは前記トレーに粘着している歯用装飾品の収納及び取付用品であって、該歯用装飾品の収納及び取付用品のトレーから、前記歯用装飾品と共に前記粘着テープを剥離し、前記第２の穴に接着剤の成分となる液状基剤を滴下して貯留させ、接着剤混和と塗布機能を備えた接着剤混和・塗布手段に該第２の穴内の液状基剤を染み込ませた後、前記混和・塗布手段の一部を前記第１の穴に入れて前記液状基剤と前記粉体状基剤を混和し、混和した前記液状基剤と前記粉体状基剤から成る接着剤を該混和・塗布手段を用いて前記粘着テープに粘着している歯用装飾品の裏面に塗布し、該粘着テープと共に該歯用装飾品を位置決めして歯に当接し、該接着剤によって該歯用装飾品を歯に接着させて取付けるようにしたことを特徴とする歯用装飾品の取付け方法を提供するものである。
【００１２】
請求項６に係る発明は、上記接着剤はグラスアイオノマーセメントであることを特徴とする請求項５記載の歯用装飾品の取付け方法を提供するものである。
【００１３】
請求項７に係る発明は、上記歯用装飾品はダイヤモンド、キュービックジルコニア、貴金属、その他の宝石、セラミック、プラスチックの内のいずれかを含んでいることを特徴とする請求項５又は６記載の歯用装飾品の取付け方法を提供するものである。
【００１４】
請求項８に係る発明は、上記歯用装飾品の裏面には反射手段が設けられていることを特徴とする請求項５，６又は７記載の歯用装飾品の取付け方法を提供するものである。
【発明の効果】
【００１５】
本発明の請求項１記載の発明によれば、接着剤の成分となる粉体状基剤を収納すると共に、歯用装飾品を収納する第１の穴が形成され、且つ、接着剤の成分となる液状基剤を貯留自在の第２の穴が形成されたトレーと、歯用装飾品を粘着して保持する可撓性の透明粘着テープとを備え、前記第１の穴の底部に粉体状基剤が収納されると共に、該第１の穴の上部に前記粘着テープに表面を粘着された歯用装飾品が収納され、且つ、該粘着テープは前記トレーに粘着している歯用装飾品の収納及び取付用品を提供するので、トレーの第１の穴及び粘着テープによって、第１の穴に歯用装飾品及び接着剤の成分となる粉体状基剤を収納することができると共に、粘着テープによって歯用装飾品を容易に取り出すことができ、且つ、第２の穴に接着剤の成分となる液状基剤を貯留することができ、第２の穴の液状基剤を第１の穴の粉体状基剤に混合する作業が容易になる。
【００１６】
請求項２記載の発明によれば、上記接着剤はグラスアイオノマーセメントであるので、請求項１記載の発明の効果に加え、接着剤によって歯を傷めることが無く、又、口腔内に使用しても安全であり、歯用装飾品の取り外しも容易である。
【００１７】
請求項３記載の発明によれば、上記歯用装飾品はダイヤモンド、キュービックジルコニア、貴金属、その他の宝石、セラミック、プラスチックの内のいずれかを含んでいるので、請求項１又は２記載の発明の効果に加え、装飾効果が期待できる。
【００１８】
請求項４記載の発明によれば、上記歯用装飾品の裏面には反射手段が設けられているので、請求項１，２又は３記載の発明の効果に加え、透明、或いは、反透明の歯用装飾品に於いて反射による輝きを向上させることができる。
【００１９】
請求項５記載の発明によれば、接着剤の成分となる粉体状基剤を収納すると共に、歯用装飾品を収納する第１の穴が形成され、且つ、接着剤の成分となる液状基剤を貯留自在の第２の穴が形成されたトレーと、歯用装飾品を粘着して保持する可撓性の透明粘着テープとを備え、前記第１の穴の底部に粉体状基剤が収納されると共に、該第１の穴の上部に前記粘着テープに表面を粘着された歯用装飾品が収納され、且つ、該粘着テープは前記トレーに粘着している歯用装飾品の収納及び取付用品であって、該歯用装飾品の収納及び取付用品のトレーから、前記歯用装飾品と共に前記粘着テープを剥離し、前記第２の穴に接着剤の成分となる液状基剤を滴下して貯留させ、接着剤混和と塗布機能を備えた接着剤混和・塗布手段に該第２の穴内の液状基剤を染み込ませた後、前記混和・塗布手段の一部を前記第１の穴に入れて前記液状基剤と前記粉体状基剤を混和し、混和した前記液状基剤と前記粉体状基剤から成る接着剤を該混和・塗布手段を用いて前記粘着テープに粘着している歯用装飾品の裏面に塗布し、該粘着テープと共に該歯用装飾品を位置決めして歯に当接し、該接着剤によって該歯用装飾品を歯に接着させて取付けるようにした歯用装飾品の取付け方法を提供するので、前記トレー、粘着テープ、混和・塗布手段、接着剤によって、特別な技術も必要とせず、簡単確実に、且つ、安価な方法で、歯を傷つけることなく安全に歯に歯用装飾品を取付けることができる。
【００２０】
請求項６記載の発明によれば、上記接着剤はグラスアイオノマーセメントであるので、請求項５記載の発明の効果に加え、請求項２記載の発明と同様の効果が期待できる。
【００２１】
請求項７記載の発明によれば、上記歯用装飾品はダイヤモンド、キュービックジルコニア、貴金属、その他の宝石、セラミック、プラスチックの内のいずれかを含んでいるので、請求項５又は６記載の発明の効果に加え、請求項３記載の発明と同様の効果が期待できる。
【００２２】
請求項８に係る発明は、上記歯用装飾品の裏面には反射手段が設けられているので、請求項５，６又は７記載の発明の効果に加え、請求項４記載の発明と同様の効果が期待できる。
【発明を実施するための最良の形態】
【００２３】
以下、実施例を示した図面を参照しつつ本発明の実施の形態を説明する。
図１（ａ）に於いて、１は本発明の歯用装飾品であり、歯用装飾品１は例えば、ダイヤモンド、キュービックジルコニア、貴金属、その他の宝石類、或いは、セラミック、プラスチック等を用いた歯の装飾品であり、円形、類円形、ハート形、星形等種々の形状に形成できるが、図に於いてはハート形に形成した。
【００２４】
前記歯用装飾品１は透明又は半透明である場合、裏面に反射手段である反射シート、反射箔又は反射ガラス等を貼着して反射効果を高めることも可能であり、且つ、その反射手段を着色する等して更に装飾効果を高めることも可能である。
【００２５】
図１（ｂ）に於いて、２は本発明に用いる可撓性の透明粘着テープであり、粘着テープ２は裏面の全面又は中央部に粘着剤２ａが塗布されており、粘着剤２ａ面に前記歯用装飾品１の表面が貼着される。
【００２６】
同図に示す如く粘着テープ２の裏面全面に粘着剤２ａが施されている場合は、その端面部を裏面側に折り返して互いに接着させ、その端面部を粘着剤２ａが露出しない把持部２ｂ，２ｂとし、粘着テープ２の取り扱い時に、把持部２ｂ，２ｂを把持することにより粘着テープ２の取り扱いを容易にする。
【００２７】
粘着テープ２の裏面の中央部にのみ粘着剤が塗布されている場合は、粘着テープ２の両端部をそのまま把持部２ｂ、２ｂとする。
【００２８】
図１（ｃ）に於いて、３は本発明に用いる歯用装飾品１の収納及び取付のためのトレーであり、トレー３は、プラスチック、ゴム又は木材等によって形成された板状体、或いは、プラスチック等で成形されて成る成形品であり、トレー３に表面には、歯科用の接着剤であるグラスアイオノマーセメントの一つの成分となる粉体状基剤４を下部に収納すると共に、歯用装飾品１を上部に収納するための第１の穴５が形成されており、且つ、第１の穴５は、内周部が歯用装飾品１の外周部と略同形に形成され、更に、トレー３の表面には、第１の穴５と所定間隔離間して、グラスアイオノマーセメントの他の成分となる液状基剤（図示せず）を貯留させるための平面視略円形の第２の穴６が形成されている。
【００２９】
図２は本発明の歯用装飾品の収納及び取り付け用品７を示し、歯用装飾品の収納及び取り付け用品７は、トレー３の第１の穴５の下部に粉体状基剤４を収納すると共に、第１の穴５の上部に粘着テープ２に貼着された歯用装飾品１を収納し、歯用装飾品１を第１の穴５に収納した状態で、粘着テープ２を粘着テープ２の粘着剤２ａによってトレー３に貼着したものである。
【００３０】
これによって、粉体状基剤４は歯用装飾品１及び粘着テープ２によって第１の穴５内に封入され、歯用装飾品１は第１の穴５内に収納された状態で粘着テープ２によって保持され、且つ、被蔽される。
【００３１】
この時、粘着テープ２の両端部の把持部２ｂ，２ｂはトレー３に貼着していない。
尚、本発明の歯用装飾品の取付け方法に於いては、前記歯用装飾品の収納及び取り付け用品７の他に、後述する液状基剤と、液状基剤を収納するスポイトと、液状基剤と粉体状基剤とを混合して接着剤を生成し、且つ、接着剤を歯用装飾品に塗布するためのスティックと、歯面を拭いたり、歯茎と口唇との間に挟み置き、歯茎と口唇がぶつからないようにして歯用装飾品の取付け作業を容易にするためのロールワッテ等が用いられる。
【００３２】
図３乃至図７は歯用装飾品の取付け方法を説明するものであり、図３（ａ）は把持部２ｂを把持して粘着テープ２をトレー３から剥離した状態を示し、粘着テープ２は歯用装飾品１の表面が粘着した状態で剥離される。一方、トレー３の第１の穴５内には粉体状基剤４が収納されている。
【００３３】
そこで、図３（ｂ）に示す如く、第２の穴６内にスポイト８等を用いて液状基剤９を例えば一滴、滴下する。
次に図４（ａ）に示す如く、先端部に綿状部１０が形成された接着剤混和・塗布手段であるスティック１１を第２の穴６内に挿入して綿状部１０に液状基剤９を染み込ませた後、図４（ｂ）のようにスティック１１の綿状部１０を第１の穴５内に挿入し、スティック１１を回転させながら綿状部１０に染み込ませた液状基剤９を第１の穴５内の紛体状基剤４と十分に混和して、接着剤であるグラスアイオノマーセメントを生成する。
【００３４】
尚、液状基剤９が不足する場合は、再度スティック１１の綿状部１０を第２の穴６内に挿入して綿状部１０に液状基剤９を染み込ませた後、綿状部１０に染み込ませた液状基剤９を第１の穴５内の紛体状基剤４と十分に混和する。
【００３５】
そして、スティック１１の綿状部１０にグラスアイオノマーセメントを染み込ませた後、図５に示す如く、粘着テープ２に粘着している歯用装飾品１の裏面にグラスアイオノマーセメントを塗布する。
【００３６】
次に、十分に歯磨きした後、図６（ａ）に示す略円柱状体に形成された綿材から成るロールワッテ１２を用いて、同図（ｂ）に示す如く、歯用装飾品１を取付けたい歯１３及び歯１３近傍の水分を除去した後、頬が歯１３に触れないようにロールワッテ１２を歯１３近傍の図示しない頬と歯ぐき間に挟み、歯１３に、歯用装飾品１を位置決めしながら粘着テープ２と共に歯用装飾品１を歯１３に圧接すると歯用装飾品１は接着剤であるグラスアイオノマーセメントによって歯１３に貼着する。この時、粘着テープ２も歯１３及び歯１３の両脇の歯に粘着させて歯用装飾品１を仮止めする。
【００３７】
この状態でグラスアイオノマーセメントを十分固化させた後、粘着テープ２を歯１３及び歯１３の両脇の歯と歯用装飾品１とからゆっくりと剥がすと、図７に示す如く、歯用装飾品１は歯１３に正確且つ確実に取付けられる。
【００３８】
斯くして、歯用装飾品の収納及び取付け用品７は、歯用装飾品１及び粉体状基剤４を容易に収納できると共に、本発明の歯用装飾品の取付け方法は、歯用装飾品の収納及び取付け用品７のトレー３に形成された第１の穴５及び第２の穴６を用いて、歯科用の接着剤であるグラスアイオノマーセメントとなる液状基剤９と粉体状基剤４とを混ぜて容易にグラスアイオノマーセメントを生成することができると共に、グラスアイオノマーセメントの歯用装飾品１への塗布も容易である。
【００３９】
又、粘着テープ２を使用することにより、歯用装飾品１を容易に第１の穴５内に収納し、保持できると共に、粉体状基剤４を封入でき、且つ、歯用装飾品１に直接手を触れることなく、歯用装飾品１の歯への位置決め及び取り付けも容易であり、又、取付け時に比較的小さい歯用装飾品１の紛失の虞もない。
【００４０】
更に、グラスアイオノマーセメントは、歯を傷めることもなく、又、口腔内に使用しても安全であり、フッ素を出すので虫歯予防の効果がある。そして、グラスアイオノマーセメントは一定の接着力を有し、歯用装飾品１と歯とを適度な接着力で接着すると共に、剥離も容易である。そして、歯用装飾品１と歯との接着は３〜４日程度維持され、３〜４日経過すると、自然剥離する。
【００４１】
従って、特別な技術も必要とせず、簡単確実に、且つ、安価な方法で、歯を傷つけることなく安全に歯に歯用装飾品を取付けることができる。
尚、前述のグラスアイオノマーセメントに代えてレジン系セメントを用いることも可能であり、然る時も略同様の効果が期待できる。
【図面の簡単な説明】
【００４２】
【図１】（ａ）本発明に用いる歯用装飾品の斜視図である。（ｂ）本発明に用いる粘着テープの斜視図である。（ｃ）本発明のトレーの斜視図である。
【図２】本発明の歯用装飾品の収納及び取り付け用品の斜視図である。
【図３】（ａ）図２の粘着テープをトレーから剥離した状態を示す斜視図である。（ｂ）図２のトレーの第２の穴にスポイトから液状基剤を滴下する状態を示す斜視図である。
【図４】（ａ）図３のトレーの第２の穴内の液状基剤をスティックの綿状部に染み込ませている状態を示す斜視図である。（ｂ）図３のトレーの第１の穴内で粉体状基剤と液状基剤をスティックで混ぜ合わせてグラスアイオノマーセメントを生成している状態を示す斜視図である。
【図５】本発明のグラスアイオノマーセメントを歯用装飾品に塗布している状態を示す斜視図である。
【図６】（ａ）本発明に用いるロールワッテの斜視図である。（ｂ）本発明の歯用装飾品を歯に取付ける状態を示す斜視図である。
【図７】本発明の歯用装飾品を歯に取付けた状態を示す斜視図である。
【符号の説明】
【００４３】
１  歯用装飾品
２  粘着テープ
３  トレー
４  粉体状基剤
５  第１の穴
６  第２の穴
７  歯用装飾品の収納及び取り付け用品
９  液状基剤
【図１】
2006034662.tif 000003
【図２】
2006034662.tif 000004
【図３】
2006034662.tif 000005
【図４】
2006034662.tif 000006
【図５】
2006034662.tif 000007
【図６】
2006034662.tif 000008
【図７】
2006034662.tif 000009